(57)【特許請求の範囲】
【請求項１】
予約された帯域で通信が可能なネットワークを介して複数の通信端末装置と接続されて、前記複数の通信端末装置と通信を行うネットワーク通信部と、
通信端末装置から接続要求がなされたときに帯域を割り当てることができない場合、通信中である通信端末装置との帯域を変更して、前記接続要求を行った通信端末装置と通信を行うための帯域を確保する制御部とを備え、
前記制御部は、前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信する通信制御装置。
【請求項２】
前記制御部は、前記通信端末装置から前記広帯域の回線を介した接続要求に対して帯域を割り当てることができない場合に、前記広帯域の回線で行われている通信の帯域を削減することにより確保した帯域を用いて、前記接続要求に対して要求の受け入れができないことを示す応答に前記確保した帯域を示す情報を含めて送信する請求項１記載の通信制御装置。
【請求項３】
予約された帯域で通信が可能なネットワークを介して通信制御装置と接続されて、前記通信制御装置と通信を行うネットワーク通信部と、
前記ネットワークを用いた前記通信制御装置への接続要求に対して要求の受け入れができないことを示す応答がなされたとき、前記予約された帯域である広帯域の回線よりも狭帯域である回線を使用して、前記通信制御装置への接続要求を行う制御部とを備え、
前記制御部は、前記狭帯域の回線を使用した接続要求に対する前記通信制御装置からの応答に対して前記狭帯域の回線を使用した通信の終了メッセージを送信して、該終了メッセージに対する前記通信制御装置からの接続要求に基づき、前記通信制御装置で確保された帯域である広帯域の回線を用いて前記通信制御装置と通信を行う通信端末装置。
【請求項４】
通信制御装置と、
予約された帯域で通信が可能なネットワークを介して前記通信制御装置と接続される複数の通信端末装置を有し、
前記通信制御装置は、
前記ネットワークを介して前記複数の通信端末装置と通信を行うネットワーク通信部と、
通信端末装置から接続要求がなされたときに帯域を割り当てることができない場合、通信中である通信端末装置との帯域を変更して、前記接続要求を行った通信端末装置と通信を行うための帯域を確保する制御部を備え、
前記通信端末装置は、
前記ネットワークを介して前記通信制御装置と通信を行うネットワーク通信部と、
前記ネットワークを用いた前記通信制御装置への接続要求に対して要求の受け入れができないことを示す応答がなされたとき、前記予約された帯域である広帯域の回線よりも狭帯域である回線を使用して、前記通信制御装置への接続要求を行う制御部とを備え、
前記通信制御装置の制御部は、前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信し、
前記通信端末装置の制御部は、前記狭帯域の回線を使用した接続要求に対する前記通信制御装置からの応答に対して前記狭帯域の回線を使用した通信の終了メッセージを送信して、該終了メッセージに対する前記通信制御装置からの接続要求に基づき、前記通信制御装置で確保された帯域である広帯域の回線を用いて前記通信制御装置と通信を行う通信システム。
【請求項５】
予約された帯域で通信が可能なネットワークを介して接続された通信端末装置と通信を行うステップと、
他の通信端末装置から接続要求がなされたときに帯域を割り当てることができない場合、通信中である通信端末装置との帯域を変更して、前記接続要求を行った通信端末装置と通信を行うための帯域を確保するステップと、
前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信するステップとを有する通信制御方法。
【発明の詳細な説明】
【技術分野】
【０００１】
この発明は、通信制御装置と通信端末装置と通信システムおよび通信制御方法に関する。詳しくは、予約された帯域で通信が可能な例えばギャランティ型ネットワークを用いて効率的に多地点接続を行えるようにするものである。
【背景技術】
【０００２】
近年、従来の回線交換式の電話回線網をＩＰ（Internet Protocol）技術をベースにしたネットワークに置き換える、次世代ネットワーク（ＮＧＮ：Next Generation Network）の構築が行われている。
【０００３】
ＮＧＮ網は、ネットワーク自体に帯域補償機能、セキュリティ機能を備え、セッション開始プロトコル（ＳＩＰ：Session Initiation Protocol）を使って、電話サービス、映像通信サービス、データ通信サービス等を統合的に実現するＩＰネットワークである。
【０００４】
また、ＮＧＮ網は、予約した帯域を使用して通信を行うことが可能で、ＱｏＳ（Quality of Service）が保証されているギャランティ型ネットワークであり、音声通話や動画配信等のリアルタイム通信を音や映像の途切れや遅延を発生することなく、安定して行うことができる。また、ＮＧＮ網では、複数拠点を接続して通信を行うことも容易である。
【０００５】
ここで、複数拠点を接続して通信を行う場合には、通信回線の切替えや複雑な設定が必要であり、一般的に複数の通信端末装置を効率よく接続し制御するためにＭＣＵ（多地点接続制御装置）が用いられている。ＭＣＵは、３地点間以上を同時に接続し映像・音声の切換えやミキシング等により映像・音声を集約・配信するためのものである。
【０００６】
また、複数拠点を接続して通信を行うことによりテレビ会議を行う場合、会議開催者が事前に会議サービスを予約する手続きをして、参加者が指定された日時にＭＣＵに電話して予約ＩＤ等を入力して会議に参加しなければならず煩雑な手続きが必要となる。このため、特許文献１の発明では、接続操作に必要な会議情報を会議端末及び多地点制御装置に送信して、テレビ会議接続時のユーザの操作、例えば事前に決められた番号へのダイヤル操作などを自動で行うことを可能とし、ユーザの操作を簡略化することを可能としたテレビ会議予約システム及びテレビ会議予約方法が提供されている。また、特許文献２の発明では、２者間の通話状態を維持したまま予約なしに第三者に電話をかけて多地点通話を可能とすることが開示されている。
【０００７】
【特許文献１】特開２００５−１０９９２２号公報
【特許文献２】特開２００５−５９９１号公報
【発明の開示】
【発明が解決しようとする課題】
【０００８】
ところで、ギャランティ型ネットワークにおいて多地点接続を行う場合、予め使用可能帯域を地点数で割って各地点との接続のための帯域を設定している。このため、通信チャンネルに空きがあっても、設定された帯域に制限されてしまうことから通信を行うことができなかったり、設定された帯域に制限された状態で通信を行うことによりビデオ通信などでは画質が劣化することとなる。また、使用可能な帯域を全て割り当ててしまうと、通信チャンネルの空きがあっても、空いている通信チャンネルを使用して通信を行うことができない。
【０００９】
図６は、空いている通信チャンネルを使用して通信を行うことができない場合のシーケンス図を示している。多地点通信制御装置６０は、例えば電子会議の参加者の通信端末装置５０Ａとセッションを確立して電子会議を行うことができるように、通信端末装置５０Ａを宛先としたＩＮＶＩＴＥメッセージの送信を行う（ステップＳＴ１０１）。ここで、予約されているＮＧＮ網４０の帯域が例えば１５Ｍｂｐｓとされており、多地点通信制御装置６０と通信端末装置５０Ａ間でのみ通信を行う場合、多地点通信制御装置６０は、帯域を有効に利用するためＩＮＶＩＴＥメッセージの帯域情報において、予約されている帯域すなわち１５Ｍｂｐｓを記述しておくものとする。
【００１０】
ＮＧＮ網４０は、多地点通信制御装置６０から供給されたＩＮＶＩＴＥメッセージを通信端末装置５０Ａに転送する（ステップＳＴ１０２）。
【００１１】
通信端末装置５０Ａは、受信したＩＮＶＩＴＥメッセージを受け入れることができるとき、レスポンスとして２００ ＯＫメッセージを送信する（ステップＳＴ１０３）。また、通信端末装置５０Ａは、受信したＩＮＶＩＴＥメッセージを受け入れて１５Ｍｂｐｓの帯域で通信を行うことができるように設定を行う。
【００１２】
ＮＧＮ網４０は、通信端末装置５０Ａから供給された２００ ＯＫメッセージを多地点通信制御装置６０に転送する（ステップＳＴ１０４）。
【００１３】
多地点通信制御装置６０は、通信端末装置５０Ａから２００ ＯＫメッセージが供給されたことに応じて、通信端末装置５０Ａとのセッションを確立して、予約されている１５Ｍｂｐｓの帯域を用いて通信端末装置５０Ａと通信を行う（ステップＳＴ１０５）。
【００１４】
その後、新たな参加者が通信端末装置５０Ｂを用いて電子会議に参加する場合、通信端末装置５０Ｂは、多地点通信制御装置６０を宛先としたＩＮＶＩＴＥメッセージの送信を行う（ステップＳＴ１０６）。なお、ＩＮＶＩＴＥメッセージの帯域情報では予約されている帯域すなわち１５Ｍｂｐｓを記述する。
【００１５】
ＮＧＮ網４０は、多地点通信制御装置６０と通信端末装置５０Ａとの通信に対して予約されている帯域を全て割り当てているため、通信端末装置５０ＢからのＩＮＶＩＴＥメッセージに対して、リクエストを受け入れられない旨のレスポンスメッセージ、例えば４８８ Ｎｏｔ Ａｃｃｅｐｔａｂｌｅ Ｈｅｒｅメッセージをレスポンスとして送信する（ステップＳＴ１０７）。
【００１６】
したがって、通信チャンネルの空きがあっても予約されている帯域が全て利用されているので、通信端末装置５０Ｂから会議に参加することができない。
【００１７】
また、会議に参加しているか否かにかかわらず、各参加者との通信に予め帯域を割り当てておけば、空いている通信チャンネルを使用して通信を行うことができなくなってしまうことがない。しかし、参加していない参加者に対しても帯域が割れ当てられてしまうことから、予約されている帯域を有効に活用できない。
【００１８】
図７は、各参加者との通信に予め帯域を割り当てておく場合のシーケンス図を示している。多地点通信制御装置６０は、例えば予約されているＮＧＮ網４０の帯域が１５Ｍｂｐｓとされており、電子会議で２つの通信端末装置５０Ａ，Ｂが用いられる場合、多地点通信制御装置６０と通信端末装置５０Ａおよび多地点通信制御装置６０と通信端末装置５０Ｂとの通信に対してそれぞれ７．５Ｍｂｐｓの帯域を割り当てるものする。ここで、多地点通信制御装置６０は、通信端末装置５０Ａとセッションを確立して電子会議を行うことができるように、通信端末装置５０Ａを宛先としたＩＮＶＩＴＥメッセージの送信を行う（ステップＳＴ１１１）。ここで、多地点通信制御装置６０と通信端末装置５０Ａの通信には７．５Ｍｂｐｓの帯域を割り当てたことから、ＩＮＶＩＴＥメッセージの帯域情報には、割り当てた帯域すなわち７．５Ｍｂｐｓを記述する。
【００１９】
ＮＧＮ網４０は、多地点通信制御装置６０から供給されたＩＮＶＩＴＥメッセージを通信端末装置５０Ａに転送する（ステップＳＴ１１２）。
【００２０】
通信端末装置５０Ａは、受信したＩＮＶＩＴＥメッセージを受け入れることができるとき、レスポンスとして２００ ＯＫメッセージを送信する（ステップＳＴ１１３）。また、通信端末装置５０Ａは、受信したＩＮＶＩＴＥメッセージを受け入れて７．５Ｍｂｐｓの帯域で通信を行うことができるように設定を行う。
【００２１】
ＮＧＮ網４０は、通信端末装置５０Ａから供給された２００ ＯＫメッセージを多地点通信制御部に転送する（ステップＳＴ１１４）。
【００２２】
多地点通信制御装置６０は、通信端末装置５０Ａから２００ ＯＫメッセージが供給されたことに応じて、通信端末装置５０Ａとのセッションを確立して、７．５Ｍｂｐｓの帯域を用いて通信端末装置５０Ａと通信を行う（ステップＳＴ１１５）。
【００２３】
その後、新たな参加者が通信端末装置５０Ｂを用いて電子会議に参加する場合、通信端末装置５０Ｂは、多地点通信制御装置６０を宛先としたＩＮＶＩＴＥメッセージの送信を行う（ステップＳＴ１１６）。なお、ＩＮＶＩＴＥメッセージの帯域情報では、割り当てられている帯域すなわち７．５Ｍｂｐｓを記述する。
【００２４】
ＮＧＮ網４０は、通信端末装置５０Ａから供給されたＩＮＶＩＴＥメッセージを多地点通信制御装置６０に転送する（ステップＳＴ１１７）。
【００２５】
多地点通信制御装置６０は、受信したＩＮＶＩＴＥメッセージを受け入れることができるか否かを判別する。ここで、受信したＩＮＶＩＴＥメッセージの帯域情報は、通信端末装置５０Ｂに対して割り当てた帯域が記述されていることから、受信したＩＮＶＩＴＥメッセージを受け入れるものとして、レスポンスとして２００ ＯＫメッセージを送信する（ステップＳＴ１１８）。
【００２６】
ＮＧＮ網４０は、多地点通信制御部から供給された２００ ＯＫメッセージを通信端末装置５０Ｂに転送する（ステップＳＴ１１９）。
【００２７】
通信端末装置５０Ｂは、多地点通信制御装置６０から２００ ＯＫメッセージが供給されたことに応じて、多地点通信制御装置６０とのセッションを確立して、７．５Ｍｂｐｓの帯域を用いて多地点通信制御装置６０と通信を行う（ステップＳＴ１２０）。
【００２８】
このようにすれば、会議の途中で参加者が増えても、追加された参加者と通信が可能となる。しかし、参加者が会議に参加していないときは、この参加していない参加者に割り当てた帯域が使用されていない状態となるので、予約された帯域が有効に活用されなくなってしまう。
【００２９】
そこで、この発明では、予約された帯域を有効に利用して多地点間の通信を行うことができる通信制御装置と通信端末装置と通信システム、および通信制御方法を提供するものである。
【課題を解決するための手段】
【００３０】
この発明の概念は、予約された帯域で通信が可能なネットワークを用いて通信を行っているときに、通信中のチャンネルに予約されている帯域を割り当てるものとし、通信チャンネルの空きがあったときに他者から接続要求が行われた場合、通信中のチャンネルの帯域を減少させることで帯域の空きを設ける。さらに、空いた帯域を空きチャンネルに割り当てて、この通信チャンネルで接続要求を行った他者との通信を可能とするものである。
【００３１】
この発明の通信制御装置は、予約された帯域で通信が可能なネットワークを介して複数の通信端末装置と接続されて、前記複数の通信端末装置と通信を行うネットワーク通信部と、通信端末装置から接続要求がなされたときに帯域を割り当てることができない場合、通信中である通信端末装置との帯域を変更して、前記接続要求を行った通信端末装置と通信を行うための帯域を確保する制御部とを備え、前記制御部は、前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信する。
【００３２】
また、この発明の通信端末装置は、予約された帯域で通信が可能なネットワークを介して通信制御装置と接続されて、前記通信制御装置と通信を行うネットワーク通信部と、前記ネットワークを用いた前記通信制御装置への接続要求に対して要求の受け入れができないことを示す応答がなされたとき、前記予約された帯域である広帯域の回線よりも狭帯域である回線を使用して、前記通信制御装置への接続要求を行う制御部とを備え、前記制御部は、前記狭帯域の回線を使用した接続要求に対する前記通信制御装置からの応答に対して前記狭帯域の回線を使用した通信の終了メッセージを送信して、該終了メッセージに対する前記通信制御装置からの接続要求に基づき、前記通信制御装置で確保された帯域である広帯域の回線を用いて前記通信制御装置と通信を行う。
【００３３】
また、この発明の通信システムは、通信制御装置と、予約された帯域で通信が可能なネットワークを介して前記通信制御装置と接続される複数の通信端末装置を有し、前記通信制御装置は、前記ネットワークを介して前記複数の通信端末装置と通信を行うネットワーク通信部と、通信端末装置から接続要求がなされたときに帯域を割り当てることができない場合、通信中である通信端末装置との帯域を変更して、前記接続要求を行った通信端末装置と通信を行うための帯域を確保する制御部を備え、前記通信端末装置は、前記ネットワークを介して前記通信制御装置と通信を行うネットワーク通信部と、前記ネットワークを用いた前記通信制御装置への接続要求に対して要求の受け入れができないことを示す応答がなされたとき、前記予約された帯域である広帯域の回線よりも狭帯域である回線を使用して、前記通信制御装置への接続要求を行う制御部とを備え、前記通信制御装置の制御部は、前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信し、前記通信端末装置の制御部は、前記狭帯域の回線を使用した接続要求に対する前記通信制御装置からの応答に対して前記狭帯域の回線を使用した通信の終了メッセージを送信して、該終了メッセージに対する前記通信制御装置からの接続要求に基づき、前記通信制御装置で確保された帯域である広帯域の回線を用いて前記通信制御装置と通信を行う。
【００３４】
さらに、この発明に係る通信制御方法は、予約された帯域で通信が可能なネットワークを介して接続された通信端末装置と通信を行うステップと、他の通信端末装置から接続要求がなされたときに帯域を割り当てることができない場合、通信中である通信端末装置との帯域を変更して、前記接続要求を行った通信端末装置と通信を行うための帯域を確保するステップと、前記予約された帯域である広帯域の回線よりも狭帯域である回線を使用した前記通信端末装置からの接続要求に対して応答を送信し、該応答に対する通信の終了メッセージを受信すると、前記広帯域の回線で行われている通信の帯域を削減して、前記狭帯域の回線で接続要求を行った通信端末装置に対して前記帯域の削減により確保した帯域を用いて接続要求を送信するステップとを有する。
【００３５】
この発明においては、予約された帯域で通信が可能なネットワークを介して通信制御装置と複数の通信端末装置が接続可能とされている。通信制御装置は、例えば通信中のチャンネルに予約されている帯域を割り当てるものとして、通信チャンネルの空きがあったときに他の通信端末装置から接続要求が行われた場合、すなわち接続要求に対して帯域を割り当てることができない場合、通信中である通信端末装置との帯域を減少させて、接続要求を行った通信端末装置と通信を行うための帯域を確保する。通信制御装置は、帯域を確保したのち、接続要求を行った通信端末装置に対して、確保した帯域を示す情報を含めた接続要求を送信する。または、接続要求に対して要求の受け入れができないことを示す応答に確保した帯域を示す情報を含めて送信する。
【００３６】
通信端末装置は、通信制御装置への接続要求を行い、この接続要求に対して受け入れができないことを示す応答がなされたとき、予約された帯域で通信が可能なネットワークよりも狭帯域の伝送路を使用して、通信制御装置への接続要求が行われる。また、通信端末装置は、受け入れができないことを示す応答に、確保した帯域を示す情報が含まれているとき、この確保した帯域で通信を行うための接続要求を通信制御装置に送信する。さらに、通信制御装置から確保した帯域を示す情報を含めた接続要求がなされたとき、この接続要求に対して受け入れることを示す応答を、通信制御装置に供給する。
【発明の効果】
【００３７】
この発明によれば、通信制御装置は、通信端末装置から接続要求がなされたときに帯域を割り当てることができない場合、通信中である通信端末装置との帯域を変更して、接続要求を行った通信端末装置と通信を行うための帯域が確保される。このため、通信中のチャンネルに予約されている帯域を割り当てても、空いているチャンネルで他の通信端末装置から接続要求が行われた場合には、このチャンネルに帯域が割り当てられて、接続要求を行った他の通信端末装置との通信が可能となり、予約された帯域を有効に利用して多地点間の通信を行うことができる。
【発明を実施するための最良の形態】
【００３８】
以下、図を参照しながら、この発明の実施の一形態について説明する。図１は、通信システム１０の構成例を示している。この通信システム１０は、複数の通信端末装置例えば通信端末装置２０Ａと通信端末装置２０Ｂおよび多地点通信制御装置３０が、ＳＩＰ(Session Initiation Protocol)サーバを用いて構成された次世代ネットワーク（ＮＧＮ）網４０を介して接続されている。
【００３９】
図２は、通信端末装置２０（２０Ａ，２０Ｂ）の構成例を示している。この通信端末装置２０は、制御部２１と、入力部２２と、出力部２３と、情報入出力部２４と、情報記憶部２５と、情報処理部２６と、ネットワーク通信部２７とを有している。
【００４０】
制御部２１は、通信端末装置２０の各部の動作を制御する。制御部２１は、ＣＰＵ（Central Processing Unit）２１１、ＲＯＭ（Read Only Memory）２１２およびＲＡＭ（Random Access Memory）２１３を備えている。この制御部２１において、ＣＰＵ２１１は、例えばＲＯＭ２１２に記憶されているプログラムをＲＡＭ２１３にロードして実行することにより、種々の制御処理を行う。例えば、制御部２１は、通信制御装置３０への接続要求、接続要求に対して受け入れができないことを示す応答がなされたとき、予約された帯域で通信が可能なネットワークよりも狭帯域の伝送路を使用して、通信制御装置３０への接続要求を行う。また、制御部２１は、受け入れができないことを示す応答に、確保した帯域を示す情報が含まれているとき、この確保した帯域で通信を行うための接続要求を通信制御装置３０に送信する。さらに、確保した帯域を示す情報を含めた接続要求が通信制御装置３０から供給されたとき、この接続要求に対して受け入れることを示す応答を、通信制御装置３０に送信する処理を行う。
【００４１】
入力部２２は、キーボード、マウス、カメラ、マイクロホン等により構成されている。出力部２３は、ディスプレイ、スピーカ等により構成されている。情報入出力部２４は、磁気ディスク、光ディスク、光磁気ディスク、あるいはメモリカード等のリムーバブルメディアのドライブ、各種入出力端子等により構成されている。
【００４２】
情報記憶部２５は、ＨＤＤ(Hard Disk Drive)、不揮発性メモリ等により構成されている。情報記憶部２５には、上述した情報入出力部２４から入力される映像信号、音声信号、データ等の各種情報、あるいは、相手側通信端末装置から送信された映像信号、音声信号、データ等の各種情報が記憶保持される。
【００４３】
情報処理部２６は、圧縮処理／伸長処理、パケット処理／デパケット処理等を行う。すなわち、情報処理部２６は、入力部２２から供給された映像信号や音声信号および情報記憶部２５から読み出した送信情報に対して圧縮処理を行い、圧縮データを生成する。さらに、情報処理部２６は、圧縮データに対してパケット処理を行い、圧縮データをパケット化して多重することで送信メディアストリームを生成する。また、情報処理部２６は、ネットワーク通信部２７で受信された受信メディアストリームに対してデパケット処理を行い、映像や音声等の圧縮データを得る。さらに、情報処理部２６は、圧縮データに対して伸張処理を行い、映像信号や音声信号を受信情報として生成する。
【００４４】
ネットワーク通信部２７は、ＮＧＮ網４０を経由して相手側通信端末装置とセッションを確立して通信を行う。このネットワーク通信部２７は、情報処理部２６で生成された送信メディアストリームを相手側通信端末装置に送信すると共に、相手側通信端末装置から受信した受信メディアストリームを情報処理部２６に供給する。
【００４５】
図３は、多地点通信制御装置の構成例を示している。多地点通信制御装置３０は、制御部３１、入力部３２、出力部３３、情報入出力部３４、情報記憶部３５、情報処理部３６、映像合成処理部３７、およびネットワーク通信部３８を有している。
【００４６】
制御部３１は、ＣＰＵ（Central Processing Unit）３１１、ＲＯＭ（Read Only Memory）３１２およびＲＡＭ（Random Access Memory）３１３を備えている。制御部３１においては、ＣＰＵ３１１が、例えばＲＯＭ３１２に記憶されているプログラムをＲＡＭ３１３にロードして実行することにより、多地点通信制御装置３０の各部の動作を制御して、映像信号や音声信号の送受信等の制御を行う。また、制御部３１は、複数の地点にある通信端末装置２０から送られてくる映像信号や音声信号を取り込んで、他の通信端末装置２０に映像信号や音声信号を配信する処理を行う。さらに、制御部３１は、通信端末装置から接続要求がなされたときに帯域を割り当てることができない場合、通信中である通信端末装置との帯域を変更して、接続要求を行った通信端末装置と通信を行うための帯域を確保する処理を行う。なお、制御部３１は、会議制御機能例えば会議リストと参加者数の表示や参加者の名前、番号、ＩＰアドレス、使用しているビデオコーデックおよび音声コーデック、および会議参加時間を含む参加者情報の表示、新規会議の作成と会議パスワードの割り当て、会議参加者の追加と削除、帯域の設定、会議の終了等の処理も行う。
【００４７】
入力部３２は、キーボード、マウス、カメラ、マイクロホン等により構成されている。出力部３３は、ディスプレイ、スピーカ等により構成されている。情報入出力部３４は、磁気ディスク、光ディスク、光磁気ディスク、あるいはメモリカード等のリムーバブルメディアのドライブ、各種入出力端子等により構成されている。
【００４８】
情報記憶部３５は、ＨＤＤ(Hard Disk Drive)、不揮発性メモリ等により構成されている。この情報記憶部３５には、上述した情報入出力部３４から入力される映像信号、音声信号、データ等の各種情報、あるいは、相手側の通信端末装置２０から送信されてくる映像信号、音声信号、データ等の各種情報が記憶保持される。
【００４９】
情報処理部３６は、圧縮処理／伸長処理、パケット処理／デパケット処理等を行う。すなわち、情報処理部３６は、入力部３２から供給された映像信号や音声信号、情報記憶部３５から読み出した送信情報、後述する映像合成処理部で生成された映像信号に対して圧縮処理を行い、圧縮データを生成する。さらに、情報処理部３６は、圧縮データに対してパケット処理を行い、圧縮データをパケット化して多重することで送信メディアストリームを生成する。また、情報処理部３６は、ネットワーク通信部３８で受信された受信メディアストリームに対してデパケット処理を行い、映像や音声等の圧縮データを得る。さらに、情報処理部３６は、圧縮データに対して伸張処理を行い、映像信号や音声信号を受信情報として通信端末装置毎に生成して、映像信号や音声信号を出力部３３や情報記憶部３５に供給したり、映像信号を映像合成処理部３７に供給する。
【００５０】
映像合成処理部３７は、各通信端末装置２０から送られてくる映像信号や入力部３２から供給された映像信号の合成処理を行い、各参加者の映像を示す合成映像の映像信号を生成して情報処理部３６に供給する。
【００５１】
ネットワーク通信部３８は、ＮＧＮ網４０を経由して複数の通信端末装置と通信を行うためのものである。このネットワーク通信部３８は、情報処理部３６で生成された送信メディアストリームを、会議の参加者の通信端末装置２０に送信すると共に、会議の参加者の通信端末装置２０から供給された受信メディアストリームを情報処理部３６に供給する。
【００５２】
このように構成された通信システム１０では、ＳＩＰのプロトコルで通話制御が行われる。ＳＩＰでは、何らかの処理を行うとき、処理を要求するリクエストメッセージと、リクエストメッセージに対する応答であるレスポンスメッセージの通信が行われる。
【００５３】
ＳＩＰのメッセージは、スタートライン、ヘッダ、ボディで構成されている。スタートラインは、メッセージがどのような目的のメッセージであるかを示す情報を記述したものである。ＳＩＰのメッセージがリクエストメッセージであるとき、スタートラインにはメソッド名ＩＮＶＩＴＥ，ＢＹＥ，ＵＰＤＡＴＥ，ＡＣＫ等が記述される。ここで、ＩＮＶＩＴＥは、セッション開始要求（接続要求）である。ＢＹＥは、セッションの終了である。ＵＰＤＡＴＥは、更新されたセッション情報の提供であり、ＡＣＫは、最終応答の受信の確認である。また、ＳＩＰのメッセージがレスポンスメッセージであるとき、スタートラインにはＨＴＴＰ(Hypertext Transfer Protocol)と同様な３桁の番号で表現されるステータスコード２００ ＯＫ，４８８ Ｎｏｔ Ａｃｃｅｐｔａｂｌｅ Ｈｅｒｅ等が記述される。ここで、２００ ＯＫは、リクエストの成功を示すものである。また、４８８ Ｎｏｔ Ａｃｃｅｐｔａｂｌｅ Ｈｅｒｅは、リクエストの受け入れ不能を示すものである。
【００５４】
ヘッダは、メッセージの制御内容を記述したものであり、予め規定された意味を持つ複数のヘッダ行（例えばＦｒｏｍ，Ｔｏ，Ｃａｌｌ−ＩＤ等）で構成されている。
【００５５】
ボディは、メッセージの添付情報を記述したものである。例えばＩＮＶＩＴＥメッセージでは、セッションの識別と、セッションで利用するメディアの種類等を指定する情報がＳＤＰ(Session Description Protocol)に従って記述される。
【００５６】
複数の通信端末装置や多地点通信制御装置が接続されるＮＧＮ網４０は、通信事業者が提供するネットワークであり、通信事業者の管理下で品質や機能が保証された通信を行うことができるものである。ＮＧＮ網４０のアーキテクチャは、パケットの転送機能を提供するトランスポート・ストラタムと、付加価値サービスを提供するサービス・ストラタムの２階層モデルとされている。
【００５７】
トランスポート・ストラタムは、データ転送を行うトランスポート機能、ユーザの受付を行うネットワーク・アタッチメント制御機能、Ｑｏｓ制御を実行するリソース受付制御機能等から構成されている。ＮＧＮ網４０は、ネットワーク・アタッチメント制御機能やリソース受付制御機能によって、許可されたユーザのメディアストリーム毎に品質を確保する。例えば、ＮＧＮ網４０は、ユーザとＮＧＮ網を提供する通信事業者間の取り決めよって予約された帯域での通信を可能とする。
【００５８】
なお、サービス・ストラタムは、ＩＰマルチメディア・サブシステム(ＩＭＳ)、電話エミュレーションを行うサービス制御機能、アプリケーションサポート機能やサービスサポート機能等から構成されている。
【００５９】
次に、通信システム１０の通信例、例えば電子会議を行う場合の動作について図４のシーケンス図を用いて説明する。なお、図４において、ＮＧＮ網４０は、映像信号や音声信号の通信が可能な広帯域の回線と、この回線よりも狭帯域である回線を利用可能とする。また、ＮＧＮ網４０は、予約されている帯域を超えて通信を行うようなセッションのリクエストが行われたとき、このリクエストを受け入れられない旨のレスポンスメッセージを応答する場合について説明する。
【００６０】
多地点通信制御装置３０は、例えば電子会議の参加者の通信端末装置２０Ａとセッションを確立して電子会議を行うことができるように、通信端末装置２０Ａを宛先としたＩＮＶＩＴＥメッセージの送信を行う（ステップＳＴ１）。ここで、予約されているＮＧＮ網４０の帯域が例えば１５Ｍｂｐｓとされており、多地点通信制御装置３０と通信端末装置２０Ａ間でのみ通信を行う場合、多地点通信制御装置３０は、帯域を有効に利用するためＩＮＶＩＴＥメッセージの帯域情報において、予約されている帯域すなわち１５Ｍｂｐｓを記述しておくものとする。
【００６１】
ＮＧＮ網４０は、多地点通信制御装置３０から供給されたＩＮＶＩＴＥメッセージを通信端末装置２０Ａに転送する（ステップＳＴ２）。
【００６２】
通信端末装置２０Ａは、受信したＩＮＶＩＴＥメッセージを受け入れることができるとき、レスポンスとして２００ ＯＫメッセージを送信する（ステップＳＴ３）。また、通信端末装置２０Ａは、受信したＩＮＶＩＴＥメッセージを受け入れて、このＩＮＶＩＴＥメッセージに含まれる多地点通信制御装置３０のＩＰアドレス、映像や音声及びデータのメデイアタイプ、ポート番号、帯域情報等を、多地点通信制御装置３０に対応して設けた記憶エリアに記憶する。なお、ＩＮＶＩＴＥメッセージを受け入れることができないとき、通信端末装置２０Ａは、例えば４８８ Ｎｏｔ Ａｃｃｅｐｔａｂｌｅ  Ｈｅｒｅメッセージをレスポンスとして送信する。
【００６３】
ＮＧＮ網４０は、通信端末装置２０Ａから供給された２００ ＯＫメッセージを多地点通信制御装置３０に転送する（ステップＳＴ４）。
【００６４】
多地点通信制御装置３０は、通信端末装置２０Ａからリクエストメッセージに対するレスポンスメッセージが供給されたとき、レスポンスメッセージの受信を示すＡＣＫメッセージを通信端末装置２０Ａに送信する。
【００６５】
このように、通信端末装置２０Ａからの２００ ＯＫメッセージを多地点通信制御装置３０に転送することで、多地点通信制御装置３０はセッションの確立を認識できる。また、多地点通信制御装置３０から通信端末装置２０ＡにＡＣＫメッセージを供給することで、通信端末装置２０Ａはセッションの確立を認識できる。なお、説明を簡単とするため、図４および以下の説明や後述する図では、ＡＣＫメッセージの記載および説明を省略する。
【００６６】
多地点通信制御装置３０は、通信端末装置２０Ａから２００ ＯＫメッセージが供給されたことに応じて、通信端末装置２０Ａとのセッションを確立して、予約されている１５Ｍｂｐｓの帯域を用いて通信端末装置２０Ａと通信を行う（ステップＳＴ５）。
【００６７】
このため、電子会議で予約されているＮＧＮ網４０の帯域を有効に活用して、通信端末装置２０Ａと多地点通信制御装置３０との間で、映像や音声の通信を行うことができる。
【００６８】
次に、通信端末装置２０Ａと多地点通信制御装置３０との間でセッションが確立されて通信が行われているときに、電子会議への参加が追加して行われる場合について説明する。
【００６９】
新たな参加者が通信端末装置２０Ｂを用いて電子会議に参加する場合、通信端末装置２０Ｂは、多地点通信制御装置３０を宛先としたＩＮＶＩＴＥメッセージの送信を行う（ステップＳＴ６）。なお、ＮＧＮ網４０において予約されている帯域が通信端末装置２０Ｂに対して通知されているときには、ＩＮＶＩＴＥメッセージの帯域情報に予約されている帯域すなわち１５Ｍｂｐｓを記述する。
【００７０】
ＮＧＮ網４０のＳＩＰサーバは、通信端末装置２０ＢからのＩＮＶＩＴＥメッセージを受け入れることができるか否かを判別する。ＳＩＰサーバは、予約されている帯域に空きがあり、ＩＮＶＩＴＥメッセージの帯域情報に記述された帯域を割り当てることができるとき、ＩＮＶＩＴＥメッセージを多地点通信制御装置３０に転送する。また、ＳＩＰサーバは、予約されている帯域に空きがないとき、または、ＩＮＶＩＴＥメッセージの帯域情報に記述された帯域を割り当てることができないとき、リクエストを受け入れられない旨のレスポンスメッセージ、例えば４８８ Ｎｏｔ Ａｃｃｅｐｔａｂｌｅ Ｈｅｒｅメッセージをレスポンスとして送信する。
【００７１】
ここで、ステップＳＴ１からステップＳＴ５の処理が行われると、予約された帯域に空きがないことから、ＳＩＰサーバは４８８ Ｎｏｔ Ａｃｃｅｐｔａｂｌｅ Ｈｅｒｅメッセージをレスポンスとして送信する（ステップＳＴ７）。
【００７２】
通信端末装置２０Ｂは、広帯域の回線を用いた通信ができないことから、狭帯域の回線を用いて、通信端末装置２０Ｂから会議への参加の要求を多地点通信制御装置３０に通知する。ここで、多地点通信制御装置３０は、会議への参加の要求が通信端末装置２０Ｂで行われたことを判別できればよいことから、ＩＮＶＩＴＥメッセージだけでなく、通信端末装置２０の固有番号（例えば電話番号やＩＰアドレス等）を通知するものとしてもよい。このように、固有番号を送信する場合、多地点通信制御装置３０は、通知された固有番号が参加者の固有番号であるか否かを判別して、参加者の固有番号と一致するときには、会議への参加の要求がなされたと判別できる。また、通信端末装置２０から多地点通信制御装置３０に対して、会議への参加を要求する音声信号等を送信するものとしてもよい。
【００７３】
通信端末装置２０Ｂは、会議への参加の要求を多地点通信制御装置３０に通知するため、狭帯域の回線例えば音声のみの通信に用いる回線を用いて、多地点通信制御装置３０を宛先としたＩＮＶＩＴＥメッセージの送信を行う（ステップＳＴ８）。
【００７４】
ＮＧＮ網４０は、狭帯域の回線を用いて供給されたＩＮＶＩＴＥメッセージを多地点通信制御装置３０に転送する（ステップＳＴ９）。
【００７５】
通信端末装置２０ＢからＮＧＮ網４０を介して多地点通信制御装置３０にＩＮＶＩＴＥメッセージが供給されると、多地点通信制御装置３０は、ＩＮＶＩＴＥメッセージの送信元が会議への参加を許可されているか判別する。ここで、多地点通信制御装置３０は、通信端末装置２０Ｂが会議への参加を許可されている利用者の通信端末装置であると判別したとき、ＩＮＶＩＴＥメッセージの受け入れが可能であることを示すレスポンスメッセージ、すなわち２００ ＯＫメッセージをレスポンスとして送信する（ステップＳＴ１０）。また、多地点通信制御装置３０は、通信端末装置２０Ｂが会議への参加を許可されている利用者の通信端末装置でないと判別したとき、ＩＮＶＩＴＥメッセージの受け入れができないことを示すレスポンスメッセージを通信端末装置２０Ｂに送信する。
【００７６】
ＮＧＮ網４０は、狭帯域の回線を用いて多地点通信制御装置３０から供給された２００ ＯＫメッセージを、通信端末装置２０Ｂに転送する（ステップＳＴ１１）。
【００７７】
通信端末装置２０Ｂは、多地点通信制御装置３０から２００ ＯＫメッセージが供給されたことで、会議への参加の要求が多地点通信制御装置３０に伝えられたことを判別できる。また、電子会議では、狭帯域の回線を使用しないものとして、宛先が多地点通信制御装置３０とされているセッションの終了を示すＢＹＥメッセージの送信を行う（ステップＳＴ１２）。
【００７８】
ＮＧＮ網４０は、狭帯域の回線を用いて通信端末装置２０Ｂから供給されたＢＹＥメッセージを、多地点通信制御装置３０に転送する（ステップＳＴ１３）。
【００７９】
多地点通信制御装置３０は、ＮＧＮ網４０を介して通信端末装置２０ＢからＢＹＥメッセージが供給されたことに応じて、通信端末装置２０Ｂとのセッションを終了させる。
【００８０】
このような処理を行うものとすれば、予約された帯域が多地点通信制御装置３０と通信端末装置２０Ａとの間の通信に全て割り当てられていても、多地点通信制御装置３０は、通信端末装置２０Ｂから電子会議への参加が行われたことを判別することができる。
【００８１】
多地点通信制御装置３０は、電子会議の参加者が増えたことから、多地点通信制御装置３０と通信端末装置２０Ａとの間の通信に割り当てた帯域を減らして、この減らした帯域を多地点通信制御装置３０と通信端末装置２０Ｂとの通信に割り当てる処理を行う。
【００８２】
多地点通信制御装置３０は、多地点通信制御装置３０と通信端末装置２０Ａとの通信に割り当てた帯域を減らすために、ＵＰＤＡＴＥメッセージを生成して、このＵＰＤＡＴＥメッセージの宛先を通信端末装置２０Ａとして送信する（ステップＳＴ１４）。このＵＰＤＡＴＥメッセージでは、変更後の帯域を示す帯域情報をメッセージに含めるものとする。例えば、予約されている帯域が１５Ｍｂｐｓであるとき、多地点通信制御装置３０と通信端末装置２０Ａとの通信、およびに多地点通信制御装置３０と通信端末装置２０Ｂとの通信に対して例えばそれぞれ７．５Ｍｂｐｓを割り当てる場合、ＵＰＤＡＴＥメッセージでは、帯域情報として変更後の帯域である７．５Ｍｂｐｓを記述する。
【００８３】
ＮＧＮ網４０は、多地点通信制御装置３０から供給されたＵＰＤＡＴＥメッセージを、通信端末装置２０Ａに転送する（ステップＳＴ１５）。
【００８４】
通信端末装置２０Ａは、受信したＵＰＤＡＴＥメッセージに基づき、多地点通信制御装置３０と通信端末装置２０Ａとの間の通信の帯域が７．５Ｍｂｐｓに変更されることを確認して、変更後の帯域で通信を行うように各部の設定を行い、２００ ＯＫメッセージをレスポンスとして送信する（ステップＳＴ１６）。なお、ＵＰＤＡＴＥメッセージの受け入れができないときは、４８８ Ｎｏｔ Ａｃｃｅｐｔａｂｌｅ Ｈｅｒｅメッセージをレスポンスとして送信する。
【００８５】
ＮＧＮ網４０は、通信端末装置２０Ａから供給された２００ ＯＫメッセージを、多地点通信制御装置３０に転送する（ステップＳＴ１７）。
【００８６】
このように、多地点通信制御装置３０から通信端末装置２０Ａに対して帯域を変更するＵＰＤＡＴＥメッセージを送信して、通信端末装置２０Ａから２００ ＯＫメッセージがレスポンスとして供給されたとき、多地点通信制御装置３０と通信端末装置２０Ａは、帯域を１５Ｍｂｐｓから７．５Ｍｂｐｓに変更して通信を行う（ステップＳＴ１８）。
【００８７】
このように、多地点通信制御装置３０は、通信端末装置２０Ａとの通信の帯域を７．５Ｍｂｐｓに変更したことにより、通信端末装置２０Ｂとの通信に対して７．５Ｍｂｐｓの帯域を割り当てることが可能となる。したがって、多地点通信制御装置３０は、広帯域の回線を用いて通信を行うことができるように、通信端末装置２０Ｂを宛先としたＩＮＶＩＴＥメッセージの送信を行う（ステップＳＴ１９）。なお、ＩＮＶＩＴＥメッセージでは、割り当て可能となった帯域を帯域情報に記述する。例えば、ＩＮＶＩＴＥメッセージの帯域情報には７．５Ｍｂｐｓを記述する。
【００８８】
ＮＧＮ網４０は、多地点通信制御装置３０から供給されたＩＮＶＩＴＥメッセージを、通信端末装置２０Ｂに転送する（ステップＳＴ２０）。
【００８９】
通信端末装置２０Ｂは、受信したＩＮＶＩＴＥメッセージを受け入れることができるとき、２００ ＯＫメッセージをレスポンスとして送信する（ステップＳＴ２１）。また、通信端末装置２０Ｂは、受信したＩＮＶＩＴＥメッセージを受け入れて、このＩＮＶＩＴＥメッセージに含まれる多地点通信制御装置３０のＩＰアドレス、映像や音声及びデータのメデイアタイプ、ポート番号、帯域情報等を多地点通信制御装置３０に対応して設けた記憶エリアに記憶する。なお、ＩＮＶＩＴＥメッセージを受け入れることができないとき、通信端末装置２０Ｂは例えば４８８ Ｎｏｔ Ａｃｃｅｐｔａｂｌｅ Ｈｅｒｅメッセージをレスポンスとして送信する。
【００９０】
ＮＧＮ網４０は、通信端末装置２０Ｂから供給された２００ ＯＫメッセージを多地点通信制御装置３０に転送する（ステップＳＴ２２）。
【００９１】
多地点通信制御装置３０は、通信端末装置２０Ｂから２００ ＯＫメッセージが供給されたことに応じて、通信端末装置２０Ｂとのセッションを確立して、割り当てられた７．５Ｍｂｐｓの帯域を用いて通信端末装置２０Ｂと通信を行う（ステップＳＴ２３）。
【００９２】
このようにすれば、会議の参加者が追加されても、追加された参加者に対して自動的に帯域を割り当てることができるので、従来のように参加者を追加して会議を行うことができないという不具合を解消できる。また、会議が行われているときは、予約されている帯域を全て用いて通信を行うことが可能であるので、参加者が追加される前に、この参加者に対して帯域を割り当てておく必要がないことから、帯域を有効に利用して通信を行うことができる。
【００９３】
ところで、図４に示す動作では、多地点通信制御装置３０に対して、予約されている帯域を超えて通信を行うようなセッションのリクエストが行われたとき、このリクエストを受け入れられない旨のレスポンスメッセージがＮＧＮ網４０から送信される。また、この場合、通信端末装置は、狭帯域の回線を利用して会議への参加を多地点通信制御装置３０に対して要求する。しかし、予約されている帯域を超えて通信を行うようなセッションのリクエストが、ＳＩＰサーバでパスされて多地点通信制御装置３０に供給される場合、狭帯域の回線を利用しなくとも、会議への参加を可能とすることができる。
【００９４】
図５は、予約された帯域を超えて通信を行うセッションのリクエストがＳＩＰサーバでパスされて多地点通信制御装置３０に供給される場合を示すシーケンス図である。
【００９５】
多地点通信制御装置３０は、例えば電子会議の参加者の通信端末装置２０Ａとセッションを確立して電子会議を行うことができるように、通信端末装置２０Ａを宛先としたＩＮＶＩＴＥメッセージの送信を行う（ステップＳＴ３１）。ここで、予約されているＮＧＮ網４０の帯域が上述のように１５Ｍｂｐｓとされており、多地点通信制御装置３０と通信端末装置２０Ａ間でのみ通信を行う場合、多地点通信制御装置３０は、帯域を有効に利用するためＩＮＶＩＴＥメッセージの帯域情報において、予約された帯域すなわち１５Ｍｂｐｓを記述しておくものとする。
【００９６】
ＮＧＮ網４０は、多地点通信制御装置３０から供給されたＩＮＶＩＴＥメッセージを通信端末装置２０Ａに転送する（ステップＳＴ３２）。
【００９７】
通信端末装置２０Ａは、受信したＩＮＶＩＴＥメッセージを受け入れることができるとき、２００ ＯＫメッセージをレスポンスとして送信する（ステップＳＴ３３）。また、通信端末装置２０Ａは、受信したＩＮＶＩＴＥメッセージを受け入れて、このＩＮＶＩＴＥメッセージに含まれる多地点通信制御装置３０のＩＰアドレス、映像や音声及びデータのメデイアタイプ、ポート番号、帯域情報等を多地点通信制御装置３０に対応して設けた記憶エリアに記憶する。なお、ＩＮＶＩＴＥメッセージを受け入れることができないとき、通信端末装置２０Ａは例えば４８８ Ｎｏｔ Ａｃｃｅｐｔａｂｌｅ Ｈｅｒｅメッセージをレスポンスとして送信する。
【００９８】
ＮＧＮ網４０は、通信端末装置２０Ａから供給された２００ ＯＫメッセージを多地点通信制御装置３０に転送する（ステップＳＴ３４）。
【００９９】
多地点通信制御装置３０は、通信端末装置２０Ａから２００ ＯＫメッセージが供給されたことに応じて、通信端末装置２０Ａとのセッションを確立して、予約されている１５Ｍｂｐｓの帯域を用いて通信端末装置２０Ａと通信を行う（ステップＳＴ３５）。
【０１００】
このため、電子会議で利用可能なＮＧＮ網４０の帯域を有効に活用して、通信端末装置２０Ａと多地点通信制御装置３０との間で、映像や音声の通信を行うことができる。
【０１０１】
次に、新たな参加者が通信端末装置２０Ｂを用いて電子会議に参加する場合、通信端末装置２０Ｂは、多地点通信制御装置３０を宛先としたＩＮＶＩＴＥメッセージの送信を行う（ステップＳＴ３６）。なお、ＮＧＮ網４０において予約されている帯域が通信端末装置２０Ｂに対して通知されているときには、ＩＮＶＩＴＥメッセージの帯域情報に予約されている帯域すなわち１５Ｍｂｐｓを記述する。
【０１０２】
ＮＧＮ網４０は、通信端末装置２０Ｂから供給されたＩＮＶＩＴＥメッセージの帯域情報に記述された帯域を割り当てることができるか否かにかかわらず、ＩＮＶＩＴＥメッセージを多地点通信制御装置３０に転送する（ステップＳＴ３７）。
【０１０３】
多地点通信制御装置３０は、通信端末装置２０Ｂから供給されたＩＮＶＩＴＥメッセージに基づき会議への参加を認めるか否かを判別する。ここで、会議の参加を認める場合、通信端末装置２０Ｂとの通信を行うために帯域を割り当てる必要があることから、多地点通信制御装置３０は、多地点通信制御装置３０と通信端末装置２０Ａとの通信に割り当てた帯域を減らすためにＵＰＤＡＴＥメッセージを生成して、このＵＰＤＡＴＥメッセージの宛先を通信端末装置２０Ａとして送信する（ステップＳＴ３８）。このＵＰＤＡＴＥメッセージでは、変更後の帯域を示す帯域情報をメッセージに含めるものとする。例えば、予約されている帯域が１５Ｍｂｐｓであるとき、会議の参加者が増加したことから、多地点通信制御装置３０と通信端末装置２０Ａとの間の通信、およびに多地点通信制御装置３０と通信端末装置２０Ｂとの間の通信に対して例えばそれぞれ７．５Ｍｂｐｓを割り当てるものとする。したがって、ＵＰＤＡＴＥメッセージでは、帯域情報として変更後の帯域である７．５Ｍｂｐｓを記述する。なお、多地点通信制御装置３０は、会議への参加を認めないときには、ＩＮＶＩＴＥメッセージを受け入れることができないことを示すレスポンスメッセージ、例えば４８８ Ｎｏｔ Ａｃｃｅｐｔａｂｌｅ Ｈｅｒｅメッセージをレスポンスとして送信する。
【０１０４】
ＮＧＮ網４０は、多地点通信制御装置３０から供給されたＵＰＤＡＴＥメッセージを、通信端末装置２０Ａに転送する（ステップＳＴ３９）。
【０１０５】
通信端末装置２０Ａは、受信したＵＰＤＡＴＥメッセージに基づき、多地点通信制御装置３０と通信端末装置２０Ａとの間の通信の帯域が７．５Ｍｂｐｓに変更されることを確認して、変更後の帯域で通信を行うように各部の設定を行い、２００ ＯＫメッセージをレスポンスとして送信する（ステップＳＴ４０）。なお、ＵＰＤＡＴＥメッセージの受け入れができないときは、４８８ Ｎｏｔ Ａｃｃｅｐｔａｂｌｅ Ｈｅｒｅメッセージをレスポンスとして送信する。
【０１０６】
ＮＧＮ網４０は、通信端末装置２０Ａから供給された２００ ＯＫメッセージを、多地点通信制御装置３０に転送する（ステップＳＴ４１）。
【０１０７】
このように、多地点通信制御装置３０から通信端末装置２０Ａに対して帯域を変更するＵＰＤＡＴＥメッセージを送信して、通信端末装置２０Ａから２００ ＯＫメッセージがレスポンスとして供給されると、多地点通信制御装置３０と通信端末装置２０Ａは、帯域を１５Ｍｂｐｓから７．５Ｍｂｐｓに変更して通信を行う（ステップＳＴ４２）。
【０１０８】
多地点通信制御装置３０は、通信端末装置２０Ａとの通信の帯域を７．５Ｍｂｐｓに変更したことにより、通信端末装置２０Ｂとの通信に対して７．５Ｍｂｐｓの帯域を割り当てることが可能となる。また、多地点通信制御装置３０は、ステップＳＴ３７で供給されたＩＮＶＩＴＥメッセージで記述されている帯域で通信を行うことはできないことから、レスポンスとしてＩＮＶＩＴＥメッセージを受け入れることができないことを示すレスポンスメッセージを通信端末装置２０Ｂに送信する。また、多地点通信制御装置３０は、広帯域の回線を用いて通信を行うことができるように、リクエストを受け入れられない旨のメッセージに割り当て可能となった帯域を記述したレスポンスメッセージを送信する。すなわち、リクエストを受け入れられない旨のメッセージに、７．５Ｍｂｐｓの帯域が割り当て可能である記述を設けて、この割り当て可能である記述が設けられたメッセージである４８８ ｗＳＤＰメッセージをレスポンスとして送信する（ステップＳＴ４３）。
【０１０９】
ＮＧＮ網４０は、多地点通信制御装置３０から供給された４８８ ｗＳＤＰメッセージを、通信端末装置２０Ｂに転送する（ステップＳＴ４４）。
【０１１０】
通信端末装置２０Ｂは、４８８ ｗＳＤＰメッセージで示された帯域で通信を行うことができるように、多地点通信制御装置３０を宛先としたＩＮＶＩＴＥメッセージの帯域情報に、４８８ ｗＳＤＰメッセージで示された帯域を記述して送信する（ステップＳＴ４５）。
【０１１１】
ＮＧＮ網４０は、通信端末装置２０Ｂから供給されたＩＮＶＩＴＥメッセージを、多地点通信制御装置３０に転送する（ステップＳＴ４６）。
【０１１２】
多地点通信制御装置３０は、受信したＩＮＶＩＴＥメッセージを受け入れることができるか否かを判別する。ここで、受信したＩＮＶＩＴＥメッセージでは、割り当て可能となった帯域が帯域情報に記述されていることから、ＩＮＶＩＴＥメッセージを受け入れるものとして、２００ ＯＫメッセージをレスポンスとして送信する（ステップＳＴ４７）。また、多地点通信制御装置３０は、受信したＩＮＶＩＴＥメッセージを受け入れて、ＩＮＶＩＴＥメッセージに含まれる通信端末装置２０ＢのＩＰアドレス、映像や音声及びデータのメデイアタイプ、ポート番号、帯域情報等を通信端末装置２０Ｂに対応して設けた記憶エリアに記憶する。なお、映像や音声及びデータのメデイアタイプやポート番号を、多地点通信制御装置３０で管理する場合、ステップＳＴ４３で送信する４８８ ｗＳＤＰメッセージに、メデイアタイプやポート番号を記述しておき、この４８８ ｗＳＤＰメッセージに記述したメデイアタイプやポート番号で通信を行うようにすればよい。
【０１１３】
ＮＧＮ網４０は、多地点通信制御装置３０から供給された２００ ＯＫメッセージを、通信端末装置２０Ｂに転送する（ステップＳＴ４８）。
【０１１４】
通信端末装置２０Ｂは、多地点通信制御装置３０から２００ ＯＫメッセージが供給されたことに応じて、多地点通信制御装置３０とのセッションを確立して、割り当てられた７．５Ｍｂｐｓの帯域を用いて多地点通信制御装置３０と通信を行う（ステップＳＴ４９）。
【０１１５】
このようにすれば、狭帯域の回線を使用しなくとも、会議に追加された参加者に対して自動的に帯域を割り当てることができる。したがって、従来のように参加者を追加して会議を行うことができないという不具合を解消できる。また、会議が行われているときは、予約されている帯域を全て用いて通信が行われるので、参加者に予め割り当てた帯域でのみ通信を行う場合に比べて、帯域を有効に利用して通信を行うことができる。
【０１１６】
なお、上述実施の形態においては、会議を行う場合に限られるものではなく、映像コンテンツの配信等を行う場合にも活用できる。
【産業上の利用可能性】
【０１１７】
この発明は、通信が行われる通信端末装置の数が変動しても、予約されている帯域を有効に活用して通信を行うことができるものであり、例えば、ＮＧＮ網を介して電子会議等を行う場合に好適である。
【図面の簡単な説明】
【０１１８】
【図１】通信システムの構成を示す図である。
【図２】通信端末装置の構成例を示す図である。
【図３】多地点通信制御装置の構成例を示す図である。
【図４】電子会議を行う場合のシーケンス図である。
【図５】予約された帯域を超えて通信を行うセッションのリクエストが多地点通信制御装置に供給される場合のシーケンス図である。
【図６】空いている通信チャンネルを使用して通信を行うことができない場合のシーケンス図を示している。
【図７】各参加者との通信に予め帯域を割り当てておく場合のシーケンス図である。
【符号の説明】
【０１１９】
１０・・・通信システム、２０，２０Ａ，２０Ｂ，５０Ａ，５０Ｂ・・・通信端末装置、２１，３１・・・制御部、２２，３２・・・入力部、２３，３３・・・出力部、２４，３４・・・情報入出力部、２５，３５・・・情報記憶部、２６，３６・・・情報処理部、２７，３８・・・ネットワーク通信部、３０，６０・・・多地点通信制御装置、３７・・・映像合成処理部、４０・・・ＮＧＮ網、２１１，３１１・・・ＣＰＵ、２１２，３１２・・・ＲＯＭ、２１３，３１３・・・ＲＡＭ
【図１】
0004613981.tif 000002
【図２】
0004613981.tif 000003
【図３】
0004613981.tif 000004
【図４】
0004613981.tif 000005
【図５】
0004613981.tif 000006
【図６】
0004613981.tif 000007
【図７】
0004613981.tif 000008